(57)【要約】      （修正有）【課題】硬直した身体を簡易な上半身動作をする事で身体を柔軟にし、脊柱を同時に矯正し、身体の歪み等を解消し、心身共に健康体にするための脊柱矯正健康具を提供する。【解決手段】本体の前部に平板角度調整位置上段溝もしくは平板角度調整位置下段溝に設け、座椅子本体の座骨受窪みに、下半身の支えと太腿を支える傾斜付き溝位置に支え平板盤を嵌脱できるように設け、座椅子本体に身体を位置させたとき、背筋が真直ぐにのびるように設け、座椅子本体の後部面にスライド式脊柱当て枕を設け、スライド式脊柱当て枕を利用して背中を反りかえる動作の繰り返しにより、脊柱を整体するように設け、本体の前部に設けてある平板角度調整位置縦溝に支え平板盤を差し換え嵌脱できるように設けることにより、簡易な椅子や踏み台にもなるようにしたことを特徴とする多機能性付スライド式背当て枕付き脊柱矯正健康具である。【選択図】図１
0003115974.tif 000002
【実用新案登録請求の範囲】
【請求項１】
座椅子本体の前部に支え平板盤を設け、座椅子本体の後部面にスライド溝を設け、スライド式脊柱当て枕に設けた当て枕スライド受軸をスライド溝に嵌入し座椅子本体に介在するようにスライド式脊柱当て枕をするように設け、座椅子本体の前部に太腿をあてる支え平板盤を嵌脱できる平板角度調整位置上段溝、平板角度調整位置下段溝を体形に合わせて使用する事ができるように設け、多機能使用実施するための支え平板盤を嵌脱できる平板角度調整位置縦溝を設け、支え平板盤の片面には椅子マットを持着させるように設け、座椅子本体の左右に設けた肘当て部には小物入れ付き左肘当て部と小物入れ付き右肘当て部を備えるように設け、座椅子本体に設けたスライド式脊柱当て枕に腰椎部位置をあてて、背中を反りかえすようにして脊柱を矯正的に伸ばす事が出来、座椅子本体設けた肘当て部の後部に交合に手をそえて、上半身を回し、身体全体の硬直した身体を容易にに柔軟にする事が出来ることを特徴とする多機能性付スライド式背当て枕付き脊柱矯正健康具。
【考案の詳細な説明】
【技術分野】
【０００１】  本考案は、脊柱を矯正し身体を柔軟に保護し脊柱矯正を容易にした、本体の前部に平板角度調整位置上段溝もしくは平板角度調整位置下段溝に設けた支え平板盤は太腿を支え、座椅子本体の座骨受窪みに、下半身をしっかり支えられるように太腿を支えるために、傾斜付き溝位置に支え平板盤を嵌脱できるように設け、座椅子本体に身体を位置させたとき、背筋が真直ぐにのびるように形状した。座椅子本体の後部面にスライド溝を設け、スライド式脊柱当て枕に設けた当て枕スライド受軸をスライド溝に嵌入し座椅子本体に介在するようにスライド式脊柱当て枕を設け、体形に合わせて背筋が真直ぐにのびる位置にスライド式脊柱当て枕をスライドして固定し、スライド式脊柱当て枕を利用して背中を反りかえるようにゆっくりと曲げることにより、脊柱を整体することができ、座椅子本体設けた肘当て部の左右後部面に交合に手をそえて、上半身をねじるように回す動作により、身体全体の硬直した身体を柔軟にする事が出来、座椅子本体を使用しないときは、本体の前部に設けてある平板角度調整位置縦溝に支え平板盤を差し換え嵌脱できるように設けることにより、簡易な椅子や踏み台になるようにした多機能性付スライド式背当て枕付き脊柱矯正健康具に関するものである。
【背景技術】
【０００２】  従来、身体を柔軟にするためには、簡易な状態で軽い体操を行う事で身体を保護したりした。また多様な効果をもった電気式のほぐしマッサージとうなども利用する事もあった。また鉄棒などの大きな形態の運動を兼ねて身体を保護したり、背骨をのばしたりする道具はあった。
【考案の開示】
【考案が解決しようとする課題】
【０００３】  前述の欠点を解決しようとするものである。
従来、身体を柔軟にするためには、簡易な状態で軽い体操を行う事で身体を保護したりしたが、容易に保護すには短い数分の体操では保護すには不十分であった。また高価な電気マッサージとうによる脊筋伸ばしなどもあるが、短な道具としては限られた道具であり、一般の簡易な道具では無い為使用する道具としては高価なことと大きさも大きく場所もとり据え付ける場所も限定が生じたり使用時間も長くなるなどの難点が有った。また運動を兼ねる方式の道具は激しい運動ができる体力の有る人でなければ使えない等の欠点があった。本考案は、以上の問題点を解決する為になされたものである。
【課題を解決するための手段】
【０００４】  本体の前部に平板角度調整位置上段溝もしくは平板角度調整位置下段溝に設け、座椅子本体の座骨受窪みに、下半身の支えと太腿を支える傾斜付き溝位置に支え平板盤を嵌脱できるように設け、座椅子本体に身体を位置させたとき、背筋が真直ぐにのびるように設け、座椅子本体の後部面にスライド式脊柱当て枕を設け、スライド式脊柱当て枕を利用して背中を反りかえる動作の繰り返しにより、脊柱を整体するように設け、本体の前部に設けてある平板角度調整位置縦溝に支え平板盤を差し換え嵌脱できるように設けることにより、簡易な椅子や踏み台にもなるようにした多機能性付スライド式背当て枕付き脊柱矯正健康具である。
【考案の効果】
【０００５】  （イ）本体の前部に平板角度調整位置溝を設けた支え平板盤は太腿を支え、座椅子本体の座骨受窪みに、下半身をしっかり支えられるように太腿を支えるために、背筋が真直ぐに伸び、脊柱を矯正する動作の海老ゾリ姿勢を容易にした。
（ロ）体形に合わせて背筋が真直ぐにのびる位置にスライド式脊柱当て枕をスライドして固定出来る為体形の大小を選ぶ事が無く体形に合わせた腰椎部に当て枕を移動出来ようにした。
柔軟なスライド式脊柱当て枕のため、使用のさいに背中が痛くなる事無くソフトな効果を利用して、十分に背中を反りかえすことが出来、ゆっくりと背筋を曲げることにより、脊柱を同時に整体することができその効果の働きも短時間で体験出来、本体がコンパクトであり、電気等も用いていないので、使う場所の制限もなく、広い場所もいらず、人が座れる範囲で容易にその効果を発揮し、年代も問わずその効果を体験でき、本体を整体具に使用しないときは、簡易な椅子や踏み台に利用ができる。
【考案を実施するための最良の形態】
【０００６】  以下本考案の実施の形態に付いて説明する。
座椅子本体（１）の前部に支え平板盤（２）を設け、座椅子本体（１）の後部面にスライド溝（５）（５）を設け、スライド式脊柱当て枕（３）に設けた当て枕スライド受軸（４）（４）をスライド溝（５）（５）に嵌入し座椅子本体（１）に介在するようにスライド式脊柱当て枕（３）をするように設け、座椅子本体（１）の前部に太腿をあてる支え平板盤（２）を嵌脱できる平板角度調整位置上段溝（６）（６）、平板角度調整位置下段溝（７）（７）を体形に合わせて使用する事ができるように設け、多機能使用実施するための支え平板盤（２）を嵌脱できる平板角度調整位置縦溝（８）（８）を設け、支え平板盤（２）の片面には椅子マット（１１）を持着させるように設け、座椅子本体（１）の左右に設けた肘当て部には小物入れ付き左肘当て部（９）と小物入れ付き右肘当て部（１０）を備えるように設ける。
本考案は、以上の構造でこれを使用するときは、座椅子本体（１）の前部に平板角度調整位置溝を設けた支え平板盤（２）により太腿を支え、座椅子本体（１）の座骨受窪みに座ると、下半身がしっかり支えられるために、背筋が真直ぐに伸び、前方に身体を曲げてから後ろに背筋を伸ばすようにゆっくりした動作で海老ゾリ姿勢ができ同時に脊柱を整体することができ、  体形に合わせて背筋が真直ぐにのびる位置にスライド式脊柱当て枕（３）をスライドして体形に合わせた腰椎部分に当て枕を移動することが可能な為使用する人の体形に調整ができ、柔軟なスライド式脊柱当て枕（３）のため、使用のさいに背中が痛くなる事無く、ソフトな効果を利用して十分に背中を反りかえすことができ、ゆっくりと曲げることにより、脊柱を整体することができその効果の働きも短時間で年代問わずその効果を体験でき、座椅子本体（１）設けた肘当て部の後部に交合に手をそえて、上半身をゆっくりねじるように身体を回し、身体全体の硬直した身体を柔軟にする事ができ、本体を整体具に使用しないときは、簡易な椅子や踏み台に利用ができる。座椅子本体（１）の前部に設けてある平板角度調整位置縦溝（８）（８）に支え平板盤（２）を差し換え嵌脱できるように設けることにより、簡易な椅子や踏み台になる。
【図面の簡単な説明】
【０００７】
【図１】  本考案の斜視図
【図２】  本考案の状態を示す拡大斜視図
【図３】  本考案の使用状態を示す斜視図
【図４】  本考案の実施状態を示す斜視図
【符号の説明】
【０００８】  １  座椅子本体
２  支え平板盤
３  スライド式脊柱当て枕
４  当て枕スライド受軸
５  スライド溝
６  平板角度調整位置上段溝
７  平板角度調整位置下段溝
８  平板角度調整位置縦溝
９  小物入れ付き左肘当て部
１０  小物入れ付き右肘当て部
１１  椅子マット
１２  人
１３  腰椎部
１４  脊柱
【図１】
0003115974.tif 000003
【図２】
0003115974.tif 000004
【図３】
0003115974.tif 000005
【図４】
0003115974.tif 000006